(57)【要約】      （修正有）【課題】各設備に対して様々な故障率を想定し、最適な保守計画を立案する保守計画装置及び方法を提供する。【解決手段】保守計画装置１は、ユーザが設定するＯ＆Ｍ資産に対する故障確率情報に基づいて故障率モデルを生成する故障率モデル生成部（故障率算出部１０４）と、生成された故障率モデルに基づき、異なる複数の条件におけるＯ＆Ｍ資産に生じ得る故障に関するシミュレーションを実施するシミュレーション実行部２０と、シミュレーションの結果に基づき、異なる複数の条件にそれぞれ対応するＫＰＩを計算するＫＰＩ計算部１０３と、異なる複数の条件と、異なる複数の条件にそれぞれ対応するＫＰＩとを解析し、最良なＫＰＩに対応する最適条件を決定する解析部３０と、を備える。【選択図】図１
2019133412.tif 000002
【特許請求の範囲】
【請求項１】
条件と成り得る情報として、顧客会社と保守会社とを含む事業体に関する事業体情報、前記顧客会社が保有するＯ＆Ｍ（Ｏｐｅｒａｔｉｏｎ＆Ｍａｉｎｔｅｎａｎｃｅ）資産に関する保有情報、前記顧客会社が保有する前記Ｏ＆Ｍ資産の構成に関する構成情報、及び、前記Ｏ＆Ｍ資産の保守方式に関する保守方式情報を記憶する記憶部と、
ユーザが設定する前記Ｏ＆Ｍ資産に対する故障確率に基づいて故障率モデルを生成する故障率モデル生成部と、
生成された前記故障率モデルに基づき、前記記憶部に記憶された前記情報が取り得る値から成る、異なる複数の条件における前記Ｏ＆Ｍ資産に生じ得る故障に関するシミュレーションを実施するシミュレーション実行部と、
前記シミュレーションの結果に基づき、前記異なる複数の条件にそれぞれ対応するＫＰＩ（Ｋｅｙ  Ｐｅｒｆｏｒｍａｎｃｅ  Ｉｎｄｉｃａｔｏｒ）を計算するＫＰＩ計算部と、
前記異なる複数の条件と、前記異なる複数の条件にそれぞれ対応するＫＰＩとを解析し、最良なＫＰＩに対応する最適条件を決定する解析部と、
を備えることを特徴とする保守計画装置。
【請求項２】
請求項１に記載の保守計画装置であって、
前記ＫＰＩ計算部は、前記Ｏ＆Ｍ資産の運用稼働率、運用による収益、及び保守に要するコストを少なくとも含む前記ＫＰＩを算出する
ことを特徴とする保守計画装置。
【請求項３】
請求項１に記載の保守計画装置であって、
前記最良なＫＰＩと、決定された前記最適条件を表示させる表示制御部を
備えることを特徴とする保守計画装置。
【請求項４】
請求項３に記載の保守計画装置であって、
前記表示制御部は、決定された前記最適条件として、保守の周期、保守作業員数、Ｏ＆Ｍ資産の台数、及び故障確率情報のうちの少なくとも１つを表示させる
備えることを特徴とする保守計画装置。
【請求項５】
請求項１に記載の保守計画装置であって、
前記シミュレーション実行部は、前記異なる複数の条件毎に前記シミュレーションを複数回実施し、
前記ＫＰＩ計算部は、前記異なる複数の条件毎に複数回実施された前記シミュレーションの結果に基づき、前記異なる複数の条件毎に複数のＫＰＩを計算し、
前記解析部は、前記異なる複数の条件と、前記異なる複数の条件毎の複数のＫＰＩとを機械学習することによって条件−ＫＰＩ関係モデルを定義し、前記条件−ＫＰＩ関係モデルに基づいて前記最適条件を決定する
ことを特徴とする保守計画装置。
【請求項６】
請求項５に記載の保守計画装置であって、
前記解析部は、前記条件−ＫＰＩ関係モデルに基づいて前記ＫＰＩの代表値とばらつきを特定し、前記ＫＰＩの前記代表値と前記ばらつきに基づいて前記最適条件を決定する
ことを特徴とする保守計画装置。
【請求項７】
請求項６に記載の保守計画装置であって、
前記解析部は、前記ＫＰＩの前記代表値と前記ばらつきを合成して評価ＫＰＩモデルを定義し、前記評価ＫＰＩモデルに基づいて前記最適条件を決定する
ことを特徴とする保守計画装置。
【請求項８】
請求項７に記載の保守計画装置であって、
前記解析部は、前記ＫＰＩの前記ばらつきを、前記ＫＰＩのデータの標準偏差に基づいて特定する
ことを特徴とする保守計画装置。
【請求項９】
請求項７に記載の保守計画装置であって、
前記解析部は、前記ＫＰＩの前記ばらつきを、前記ＫＰＩのデータの確率分布に基づいて特定する
ことを特徴とする保守計画装置。
【請求項１０】
請求項１に記載の保守計画装置であって、
前記シミュレーション実行部は、
前記事業体、前記Ｏ＆Ｍ資産、及び保守作業員の構成を設定する第１の機能と、
前記Ｏ＆Ｍ資産の系統を設定する第２の機能と、
系統の状態と異常検知を定義する第３の機能と、
前記顧客会社の仕事である前記Ｏ＆Ｍ資産の稼動を意味する顧客タスクと、保守サービス会社の仕事である前記Ｏ＆Ｍ資産の修理を意味する修理タスクの日程を計画して実施する第４の機能と、
前記事業体に対して前記顧客タスクと前記修理タスクを定義する第５の機能と、
前記修理タスクを実施する第６の機能と、
保守に用いるパーツの管理と供給と調達とを実施する第７の機能と、
を有する
ことを特徴とする保守計画装置。
【請求項１１】
請求項１０に記載の保守計画装置であって、
前記故障率モデル生成部は、前記ユーザが設定する、前記Ｏ＆Ｍ資産の稼動時間の時間的な区切りである各区分の開始時点における前記故障確率に従って区分線形故障率モデルを生成する
ことを特徴とする保守計画装置。
【請求項１２】
請求項１１に記載の保守計画装置であって、
前記故障率モデル生成部は、前記ユーザがＦＲ０コマンドを用いて設定する故障率の初期値に従って前記区分線形故障率モデルを生成する
ことを特徴とする保守計画装置。
【請求項１３】
請求項１１に記載の保守計画装置であって、
前記故障率モデル生成部は、前記ユーザが任意の区分に設定するＣＦＲコマンドに従って故障率に従って前記区分線形故障率モデルを生成する
ことを特徴とする保守計画装置。
【請求項１４】
請求項１に記載の保守計画装置であって、
前記故障率モデル生成部は、前記故障率モデルとして、前記Ｏ＆Ｍ資産の稼動時間が区分に分けられており、各区分においてはワイブル分布に従う区分ワイブル故障率モデルを生成する
ことを特徴とする保守計画装置。
【請求項１５】
請求項１に記載の保守計画装置であって、
前記Ｏ＆Ｍ資産の前記保守方式は、
所定の間隔で周期的にメンテナンスを計画、実施する定期メンテナンスと、
故障の発生に応じて前記Ｏ＆Ｍ資産を稼動可能に復旧する修理と、
前記Ｏ＆Ｍ資産の状態量と管理値との比較結果に応じて計画、実施する状態監視メンテナンスと、
前記Ｏ＆Ｍ資産から検出される信号値と閾値との比較結果に応じて計画、実施する予知メンテナンスと、
の４種類から成る
ことを特徴とする保守計画装置。
【請求項１６】
条件と成り得る情報として、顧客会社と保守会社とを含む事業体に関する事業体情報、前記顧客会社が保有するＯ＆Ｍ（Ｏｐｅｒａｔｉｏｎ＆Ｍａｉｎｔｅｎａｎｃｅ）資産に関する保有情報、前記顧客会社が保有する前記Ｏ＆Ｍ資産の構成に関する構成情報、及び、前記Ｏ＆Ｍ資産の保守方式に関する保守方式情報を記憶する記憶部を、備える保守計画装置の保守計画方法であって、
ユーザが設定する前記Ｏ＆Ｍ資産に対する故障確率に基づいて故障率モデルを生成する故障率モデル生成ステップと、
生成された前記故障率モデルに基づき、前記記憶部に記憶された前記情報が取り得る値から成る、異なる複数の条件における前記Ｏ＆Ｍ資産に生じ得る故障に関するシミュレーションを実施するシミュレーション実行ステップと、
前記シミュレーションの結果に基づき、前記異なる複数の条件にそれぞれ対応するＫＰＩ（Ｋｅｙ  Ｐｅｒｆｏｒｍａｎｃｅ  Ｉｎｄｉｃａｔｏｒ）を計算するＫＰＩ計算ステップと、
前記異なる複数の条件と、前記異なる複数の条件にそれぞれ対応するＫＰＩとを解析し、最良なＫＰＩに対応する最適条件を決定する解析ステップと、
を含むことを特徴とする保守計画方法。
【発明の詳細な説明】
【技術分野】
【０００１】
本発明は、保守計画装置、及び保守計画方法に関する。
【背景技術】
【０００２】
オフィス、住居ビル、商業施設、駅、空港等の建物では、空調機や昇降機等の様々な設備が稼動している。該設備は、稼動時間が経過するにつれて劣化して故障に至るため、適切な保守（メンテナンス）が必要である。同様に、トラック、乗用車に代表される車両、列車、船舶、航空機等の移動体も稼動時間の経過につれて劣化するため保守が必要である。そして、これらの保守を行うに際しては、稼動状態や稼働率向上、コスト低減等を考慮して効率的な保守計画を立案する必要がある。
【０００３】
例えば特許文献１には、設備の故障発生を固定的に評価した上でメンテナンスの最適周期を算出し、運用実績に基づいて経年変化以外の故障も解析する技術が開示されている。
【０００４】
また、例えば特許文献２には、各設備の故障率を一定として、将来に亘る部品又は機器の信頼度を計算し、適切な保守計画を作成する技術が開示されている。
【先行技術文献】
【特許文献】
【０００５】
【特許文献１】特許第４２３７６１０号公報
【特許文献２】特開２０１１−６００８８号公報
【発明の概要】
【発明が解決しようとする課題】
【０００６】
保守が必要となる不具合や故障の発生の仕方は様々であり、予防的に保守を行っていたとしても故障は発生し得る。すなわち、設備の系統の故障確率分布(故障時間分布)を用いて不具合、故障の発生と保守の実施を評価することが必要である。不具合、故障の発生が確率的であれば、保守のコスト、設備運用による事業の収益も対応して確率的なばらつきを持つこととなる。
【０００７】
しかしながら、上述した特許文献１，２それぞれに記載の技術では、各設備に対して様々な故障率を想定して保守計画を立案することができない。
【０００８】
本発明は、このような状況に鑑みてなされたものであり、各設備に対して様々な故障率を想定し、最適な保守計画を立案できるようにすることを目的とする。
【課題を解決するための手段】
【０００９】
本願は、上記課題の少なくとも一部を解決する手段を複数含んでいるが、その例を挙げるならば、以下のとおりである。上記課題を解決すべく、本発明の一態様に係る保守計画装置は、条件と成り得る情報として、顧客会社と保守会社とを含む事業体に関する事業体情報、前記顧客会社が保有するＯ＆Ｍ資産に関する保有情報、前記顧客会社が保有する前記Ｏ＆Ｍ資産の構成に関する構成情報、及び、前記Ｏ＆Ｍ資産の保守方式に関する保守方式情報を記憶する記憶部と、ユーザが設定する前記Ｏ＆Ｍ資産に対する故障確率情報に基づいて故障率モデルを生成する故障率モデル生成部と、生成された前記故障率モデルに基づき、異なる複数の条件における前記Ｏ＆Ｍ資産に生じ得る故障に関するシミュレーションを実施するシミュレーション実行部と、前記シミュレーションの結果に基づき、前記異なる複数の条件にそれぞれ対応するＫＰＩを計算するＫＰＩ計算部と、前記異なる複数の条件と、前記異なる複数の条件にそれぞれ対応するＫＰＩとを解析し、最良なＫＰＩに対応する最適条件を決定する解析部と、を備えることを特徴とする。
【発明の効果】
【００１０】
本発明によれば、最適な保守計画を立案することが可能となる。
【００１１】
上記した以外の課題、構成及び効果は、以下の実施形態の説明により明らかにされる。
【図面の簡単な説明】
【００１２】
【図１】本発明に係る一実施の形態である保守計画装置の構成例を示すブロック図である。
【図２】Ｏ＆Ｍサービスシミュレータと記憶部の詳細な構成例を示すブロック図である。
【図３】保守計画装置によるＫＰＩを最良とする保守方式の条件を求める処理の一例を説明するフローチャートである。
【図４】Ｏ&Ｍサービスシミュレーションの概要の一例を示した図である。
【図５】４種類の保守方式を説明するための図である。
【図６】稼動時間に対する不具合の発生と故障確率の関係の例を示した図である。
【図７】故障確率、故障率の設定に係わる問題点を説明するための図である。
【図８】区分線形故障率モデルの定義を説明するための図である。
【図９】不具合、故障の各判定のための区分線形故障率モデルの例を示した図である。
【図１０】区分線形故障率モデルに基づく信頼度、故障確率、故障密度、及び故障率の関係の例を示した図である。
【図１１】故障確率設定画面の第１の表示例を示す図である。
【図１２】故障確率設定画面の第２の表示例を示す図である。
【図１３】ＫＰＩを最良とする最適な条件の求め方の概要を説明するための図である。
【図１４】条件に対するＫＰＩの分布の例を示した図である。
【図１５】最適条件探索のためのＫＰＩ評価の考え方を説明するための図である。
【図１６】評価ＫＰＩ設定画面の表示例を示す図である。
【図１７】ＫＰＩ確率分布画面の表示例を示す図である。
【図１８】最適条件確認画面の表示例を示す図である。
【図１９】回帰/平均の代表値と標準偏差、評価ＫＰＩモデルの関係の一例を示した図である。
【図２０】特定の確率値に対するＫＰＩの代表値、上側値、下側値の意味を説明するための図である。
【図２１】各条件における確率値に対するＫＰＩの、条件に対する分布の一例を示した図である。
【図２２】本発明に係る一実施の形態のまとめを説明するための図である。
【図２３】コンピュータの構成例を示すブロック図である。
【発明を実施するための形態】
【００１３】
以下、本発明に係る一実施の形態を図面に基づいて説明する。なお、一実施の形態を説明するための全図において、同一の部材には原則として同一の符号を付し、その繰り返しの説明は省略する。また、以下の実施の形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。
【００１４】
＜本発明に係る一実施の形態である保守計画装置の概要＞
はじめに、本発明に係る一実施の形態である保守計画装置の概要について説明する。
【００１５】
該保守計画装置は、設備を運用してビジネスを行う事業体、保守を行う保守事業体、保守パーツの供給を行うパーツ事業体が実施するＯ＆Ｍ(Ｏｐｅｒａｔｉｏｎ＆Ｍａｉｎｔｅｎａｎｃｅ)サービスビジネスにおいて、設備運用による収益と保守のコストを、複数種類の保守方式に対して評価することで、ビジネスとしてＫＰＩ(Ｋｅｙ  Ｐｅｒｆｏｒｍａｎｃｅ  Ｉｎｄｉｃａｔｏｒ)を最良とする効率的な保守計画を立案するものである。
【００１６】
複数種類の保守方式としては、事後メンテナンス(修理)、定期メンテナンス、状態監視メンテナンス、及び予知メンテナンスの４種類を想定する。
【００１７】
設備運用のビジネスを行う事業体は、保守事業体の立場からは顧客であるため、以下、顧客会社と称する。設備は、Ｏ＆Ｍの対象となる資産であるため、以下、Ｏ＆Ｍ資産と称する。Ｏ＆Ｍ資産は、稼動することで劣化し、不具合、故障を発生する。
【００１８】
該保守計画装置は、ビジネスの収益、コスト評価のために、各種の保守方式と不具合発生の確率を設定する。また、保守計画装置は、事業の推進を時系列でマルチエージェントシミュレーションであるＯ＆Ｍサービスシミュレータを用い、ビジネスの収益、コストを求める。
【００１９】
さらに、保守計画装置は、Ｏ＆Ｍ資産の運用稼働率、運用による収益、及び保守に要するコスト等をＫＰＩとし、ＫＰＩを最良とする保守などの最適な条件を求めて保守計画を立案する。なお、状態監視メンテナンス、及び予知メンテナンスを実現するために、設備状態をモニタし、異常検知、診断のサービスを行う診断サービス会社（保守事業体）も保守計画の対象とする。
【００２０】
Ｏ＆Ｍ資産は複数の系統を設定し、各系統には劣化の程度と故障率が定義される。故障の仕方は様々な発生確率となるため、任意の稼動時間に対する故障率の設定が可能となる区分故障率モデル（区分線形故障率または区分ワイブル故障率）により定義する。また故障の発生の仕方は、実際の設備の運用環境においては、故障が発生した際の稼動時間として認識、データ化されるため、稼動時間に対して故障確率（故障時間確率）を設定することで区分故障率モデルを定める。
【００２１】
Ｏ＆Ｍサービスシミュレータにおいては、Ｏ＆Ｍ資産の運用や保守事業体の保守作業員による保守の日程を計画し、計画に従って業務のシミュレートを行う。仕事の計画や不具合、故障の発生に応じて、保守の日程を計画することで、修理、定期メンテナンス、状態監視メンテナンス、予知メンテナンスのいずれもを、各Ｏ＆Ｍ資産において同時並列に実施できる。
【００２２】
Ｏ＆Ｍ資産の不具合、故障発生は、故障率に依存して確率的である。現実において、設備の不具合や故障の発生によって費用の発生がばらつく様に、Ｏ＆Ｍサービスシミュレーションでもその実行毎に結果はばらつく。そのため、Ｏ＆Ｍサービスシミュレーションに設定した条件とＫＰＩとの関係をモデル化する。機械学習により統計的にモデルのパラメータを求めて代表値とする。また条件に対してＫＰＩのばらつき範囲を求める。ＫＰＩの期待値的な良さと変動のリスクを評価できるように、代表値とばらつき範囲を用いて、評価するための評価ＫＰＩモデルを定義する。評価ＫＰＩモデルに基づきＫＰＩを最良とする最適な条件を探索する。
【００２３】
以上により、様々な顧客の事業、Ｏ＆Ｍ資産と保守事業体、パーツ事業体の体制、保守方式に対して、最適となる保守計画を立案することができる。
【００２４】
＜本発明に係る一実施の形態である保守計画装置の構成例＞
図１は、本発明に係る一実施の形態である保守計画装置の構成例を示すブロック図である。なお、同図において、破線は制御信号の流れを示し、実線はデータ（条件データ１１等）の流れを示している。
【００２５】
該保守計画装置１は、制御部１０、シミュレーション実行部２０、解析部３０、及び表示制御部４０を備える。
【００２６】
制御部１０は、保守計画装置１を構成する各部を制御するためのものであり、処理実行部１０１、条件設定部１０２、ＫＰＩ計算部１０３、及び故障率算出部１０４を有する。
【００２７】
処理実行部１０１は、シミュレーション実行部２０に対してＯ＆Ｍサービスシミュレーション（以下、適宜、シミュレーションと称する）の実行を依頼する。また、処理実行部１０１は、解析部３０に対してシミュレーションの結果の解析を依頼する。
【００２８】
条件設定部１０２は、故障率設定画面（図１１）等のユーザインターフェースに対してユーザから入力される、シミュレーションにおける各種の条件を受け付ける。さらに、条件設定部１０２は、受け付けた条件に対応する条件データ１１を生成して、シミュレーション実行部２０及び解析部３０に出力する。なお、条件データ１１には、故障率算出部１０４にて算出される故障率も含まれる。また、条件データ１１には、評価の対象となるＫＰＩを指定する情報も含まれる。
【００２９】
ＫＰＩ計算部１０３は、Ｏ＆Ｍサービスシミュレータ２１０の実行結果に基づき、顧客会社の収益や保守のコスト等のＫＰＩ２１を計算し、シミュレーション実行部２０を介して解析部３０に出力する。なお、ＫＰＩ計算部１０３を制御部１０ではなく、シミュレーション実行部２０に含めるようにしてもよい。
【００３０】
故障率算出部（本発明の故障率モデル生成部に相当する）１０４は、シミュレーションにおける各種の条件としての故障確率に対応する故障率を区分故障率モデルとして生成する。
【００３１】
シミュレーション実行部２０は、Ｏ＆Ｍサービスシミュレータ２１０及び記憶部２２０を有する。シミュレーション実行部２０は、処理実行部１０１からの依頼に応じてＯ＆Ｍサービスシミュレータ２１０を用いてシミュレーションを実行する。また、シミュレーション実行部２０は、シミュレーションの実行結果に対応するＫＰＩ２１を制御部１０のＫＰＩ計算部１０３から取得して解析部３０に出力する。さらに、シミュレーション実行部２０は、Ｏ＆Ｍシミュレーションの実行結果としてアニメーションデータ３３を表示制御部４０に出力する。記憶部２２０は、シミュレーションに用いる各種のデータベースを記憶する。
【００３２】
解析部３０は、シミュレーション実行部２０から得られる、条件データ１１に対するＫＰＩ２１を機械学習することにより条件−ＫＰＩ関係モデル１４５２（図１３）を定義する。また、解析部３０は、条件−ＫＰＩ関係モデル１４５２から得られる最適条件データ３１と解析内容をユーザに示すためのグラフデータ３２を表示制御部４０に出力する。
【００３３】
表示制御部４０は、最適条件データ３１等に基づく各種の情報をディスプレイ（不図示）に表示することによりユーザに提示する。表示制御部４０は、グラフ描画部４１及びアニメーション描画部４２を有する。グラフ描画部４１は、グラフデータ３２に基づくグラフをディスプレイに表示する。アニメーション描画部４２は、アニメーションデータ３３に基づくアニメーションをディスプレイに表示する。
【００３４】
次に、図２は、シミュレーション実行部２０が有するＯ＆Ｍサービスシミュレータ２１０及び記憶部２２０の詳細な構成例を示している。
【００３５】
Ｏ＆Ｍサービスシミュレータ２１０は、以下に説明する７つの機能を有する。
【００３６】
７つの機能とは、シミュレーションの対象となるエージェントである事業体、Ｏ＆Ｍ資産、保守作業員の構成を定義する第１の機能、Ｏ＆Ｍ資産の系統を定義する第２の機能、系統の状態と異常検知を定義する第３の機能、顧客会社の仕事であるＯ＆Ｍ資産の稼動を意味する顧客タスクと、保守サービス会社の仕事であるＯ＆Ｍ資産のメンテナンスや修理を意味する修理タスクの日程を計画する第４の機能、顧客会社に対して顧客タスクを定義して実施させる第５の機能、保守サービス会社に対して修理タスクを定義して実施させる第６の機能、保守に用いるパーツの管理、供給、調達を実施する第７の機能である。
【００３７】
Ｏ＆Ｍサービスシミュレータ２１０は上述した７つの機能を実現するために、条件取得処理部２１１、資産劣化・信号発生・故障率・故障処理部２１２、異常検知・診断処理部２１３、顧客タスク日程計画処理部２１４、顧客タスク実施処理部２１５、修理タスク日程計画処理部２１６、修理タスク実施処理部２１７、及びパーツ供給・在庫管理処理部２１８を有する。
【００３８】
上述した第１の機能は、条件取得処理部２１１により実現される。第２の機能は、資産劣化・信号発生・故障率・故障処理部２１２により実現される。第３の機能は、資産劣化・信号発生・故障率・故障処理部２１２、及び異常検知・診断処理部２１３により実現される。第４の機能は、顧客タスク日程計画処理部２１４、及び修理タスク日程計画処理部２１６により実現される。第５の機能は、顧客タスク日程計画処理部２１４、及び顧客タスク実施処理部２１５により実現される。第６の機能は、修理タスク日程計画処理部２１６、及び修理タスク実施処理部２１７により実現される。第７の機能は、パーツ供給・在庫管理処理部２１８により実現される。
【００３９】
Ｏ＆Ｍサービスシミュレータ２１０を構成する条件取得処理部２１１等の各処理部は、記憶部２２０に記憶されている各データベースに格納された情報を参照し、それぞれの処理を実行する。
【００４０】
条件取得処理部２１１は、条件設定部１０２を用いてユーザが設定する各種の条件を記憶部２２０のデータベースに登録する。
【００４１】
資産劣化・信号発生・故障率・故障処理部２１２は、Ｏ＆Ｍ資産の稼動に伴う資産の劣化と、劣化を反映した信号の発生を処理する。そして故障率を用いて不具合、故障を判定する処理を行う。
【００４２】
異常検知・診断処理部２１３は、診断サービス会社によるＯ＆Ｍ資産の系統の異常検知と診断を処理する。異常が検知された場合には予知メンテナンスのための日程を計画する。
【００４３】
顧客タスク日程計画処理部２１４は、Ｏ＆Ｍ資産の稼動の日程を計画する。顧客タスク実施処理部２１５は、計画された稼動日程に従ってＯ＆Ｍ資産の稼動を処理する。
【００４４】
修理タスク日程計画処理部２１６は、不具合、故障の発生、または異常検知に応じ、Ｏ＆Ｍ資産の保守作業員による修理タスクの日程を計画する。修理タスク実施処理部２１７は、計画された修理タスクの日程に従って保守の実施を処理する。パーツ供給・在庫管理処理部２１８は、保守事業体、パーツ事業体のパーツ供給と在庫管理を処理する。
【００４５】
シミュレーション実行部２０の記憶部２２０は、様々な情報を格納する複数のデータベースを備える。具体的には、記憶部２２０は、事業体・Ｏ＆Ｍ資産定義ＤＢ（データベース）２２１、Ｏ＆Ｍ資産系統定義ＤＢ２２２、故障・異常管理基準情報ＤＢ２２３、劣化関数・信号発生定義ＤＢ２２４、故障確率・故障率定義ＤＢ２２５、Ｏ＆Ｍ資産日程表ＤＢ２２６、メンテナンスメニューＤＢ２２７、保守事業体(作業員)日程表ＤＢ２２８、顧客タスクＤＢ２２９、修理タスクＤＢ２３０、パーツリストＤＢ２３１、及びパーツ在庫ＤＢ２３２を記憶する。
【００４６】
事業体・Ｏ＆Ｍ資産定義ＤＢ２２１には、事業体やＯ＆Ｍ資産の構成を定義した情報が登録される。Ｏ＆Ｍ資産系統定義ＤＢ２２２には、Ｏ＆Ｍ資産に属する系統を定義した情報が登録される。故障・異常管理基準情報ＤＢ２２３には、Ｏ＆Ｍ資産の故障や異常を判断するための管理基準を表す情報が登録される。
【００４７】
劣化関数・信号発生定義ＤＢ２２４には、Ｏ＆Ｍ資産の劣化の進み具合を表す劣化関数とそれに応じて出力する信号を定義した情報が登録される。故障確率・故障率定義ＤＢ２２５には、ユーザによって設定されるＯ＆Ｍ資産の故障確率と、それに対応して算出された故障率が登録される。
【００４８】
Ｏ＆Ｍ資産日程表ＤＢ２２６には、Ｏ＆Ｍ資産に対する稼動計画の日程を表す情報が登録される。メンテナンスメニューＤＢ２２７には、Ｏ＆Ｍ資産対する保守作業の具体的な内容を表す情報が登録される。保守事業体(作業員)日程表ＤＢ２２８には、保守作業員によるＯ＆Ｍ資産に対する保守計画の日程が登録される。
【００４９】
顧客タスクＤＢ２２９には、Ｏ＆Ｍ資産に対して計画された顧客タスクが登録される。修理タスクＤＢ２３０には、Ｏ＆Ｍ資産に対して計画された修理タスクが登録される。パーツリストＤＢ２３１には、Ｏ＆Ｍ資産に対する保守に用いるパーツのリストが登録される。パーツ在庫ＤＢ２３２には、パーツの在庫状況を表す情報が登録される。
【００５０】
＜保守計画装置によるＫＰＩを最良とする保守方式の条件を求める処理の概要＞
次に、図３は、保守計画装置によるＫＰＩを最良とする保守方式の条件を求める処理の概要を説明するフローチャートである。
【００５１】
はじめに、シミュレーション実行部２０が、事業体、Ｏ＆Ｍ資産に関する情報を制御部１０から取得する（ステップＳ１）。具体的には、顧客会社、Ｏ＆Ｍ資産、保守会社、作業員等の関係を表す情報を取得する。
【００５２】
次に、シミュレーション実行部２０が、Ｏ＆Ｍ資産の構成に対する任意の稼働時間に対する故障確率を取得する（ステップＳ２）。なお、Ｏ＆Ｍ資産は、不具合、故障が発生し得る１つ以上の系統から構成されており、各系統に対して不具合、故障の発生を判定するための故障率を算出するための情報として故障確率を取得する。
【００５３】
次に、シミュレーション実行部２０が、各種保守方式における複数の条件を制御部１０から取得する（ステップＳ３）。具体的には、例えば定期メンテナンスのメンテナンス間隔、状態監視メンテナンスにおける管理値や予知メンテナンスのための閾値を取得する。
【００５４】
次に、シミュレーション実行部２０が、ステップＳ３で取得した各種保守方式における複数の条件のうちの１つを順次採用し（ステップＳ４）、採用した同一条件の下でＯ＆Ｍサービスシミュレータ２１０に複数回シミュレーションを実施させる（ステップＳ５〜Ｓ７）。そして、同一の条件の下で複数回シミュレーションを実施させた後、シミュレーション実行部２０は、処理をステップＳ４に戻す。そして、ステップＳ３で取得した各種保守方式における複数の条件の全てを順次採用し、同一の条件の下で複数回シミュレーションを繰り返すことになる（ステップＳ４〜Ｓ８）。
【００５５】
ここで、Ｏ＆Ｍサービスシミュレータ２１０によるシミュレーションの内容について説明する。
【００５６】
Ｏ＆Ｍサービスシミュレータ２１０では、事業体、Ｏ＆Ｍ資産、保守作業員の人数が設定され、Ｏ＆Ｍ資産には系統の構成が定義され、各系統には状態監視、異常検知のための管理基準情報と故障率が設定される。保守事業体には、不具合、故障に対するメンテナンスの内容が設定され、保守事業体とパーツ事業体には、パーツの一覧と在庫が設定される。
【００５７】
シミュレーションは、時系列の繰返しで処理を進める。時系列繰返しの前には、Ｏ＆Ｍ資産の稼動状態、保守の日程表が設定されて初期化される。時系列の繰返しでは、Ｏ＆Ｍ資産が計画にしたがって稼動される。そして、Ｏ＆Ｍ資産に不具合、故障が発生したか否かを判定する。不具合、故障が発生した場合、Ｏ＆Ｍ資産と保守事業体には、予知メンテナンスや修理が計画されて実施される。
【００５８】
また、Ｏ＆Ｍ資産と保守事業体には、設定に応じて定期メンテナンス、状態監視メンテナンスが計画されて実施される。保守によりＯ＆Ｍ資産のパーツを交換した場合、パーツの在庫が減るので、パーツが不足していれば、保守事業体が倉庫、メーカ工場にパーツを発注する。倉庫は、パーツを供給し、不足すればパーツを他倉庫、メーカ工場に発注する。メーカ工場は、パーツの在庫が不足したならばパーツを生産する。
【００５９】
そして、シミュレーション対象の期間が経過し、時系列の繰返しが終了した後、Ｏ＆Ｍサービスシミュレータ２１０は、後処理として、メンテナンス実施回数やＯ＆Ｍ資産の稼働率等の結果を集計して出力する。これらに基づき、ＫＰＩ計算部１０３が、収益、稼働率、保守コスト等のＫＰＩを計算することになる。以上で、Ｏ＆Ｍサービスシミュレータ２１０によるシミュレーションの内容説明を終了する。
【００６０】
図３の説明に戻る。Ｏ＆Ｍサービスシミュレータ２１０により複数回のシミュレーションが実施された後、解析部３０が、条件とＫＰＩとの関係を機械学習する（ステップＳ９）。なお、シミュレーション結果のＫＰＩにはシミュレーションの実施毎にばらつきがあるため、解析部３０は、条件に対してＫＰＩの代表値を求めるための関係を学習する。また同一の条件に対してもＫＰＩはばらつくため、ばらつきの範囲も定量化する。
【００６１】
最後に、解析部３０が、ＫＰＩ最良の条件を探索する（ステップＳ１０）。例えば、ＫＰＩとして収益を重視するならば、ＫＰＩが最大となる条件を探索する、また例えば、ＫＰＩとして保守のコストを重視するならば、ＫＰＩが最小となる条件を探索する。なお、この探索に際しては、代表となるＫＰＩ値だけでなく、ばらつきの大きさも鑑みて評価する。以上で、ＫＰＩを最良とする保守方式の条件を求める処理の概要説明を終了する。
【００６２】
＜Ｏ＆Ｍサービスシミュレーションの概要＞
次に、シミュレーション対象と処理の概要について図４を参照して説明する。
【００６３】
同図（Ａ）は、シミュレーションに登場するエージェントの一例として、事業体、Ｏ＆Ｍ資産、人物を示している。
【００６４】
建物(顧客会社)３０２は、オフィスビルの管理を行っており、建物３０２に設置されるＯ＆Ｍ資産としての設備３０３の運用、管理を行う。
【００６５】
設備３０３は、例えば、建物３０２に設置される空調機や昇降機等である。例えば、空調機は、大別すると室内機、配管系、及び室外機から成り、これらはそれぞれ異なる構造と機能を持ち、劣化の仕方は様々である。なお、設備３０３としては、空調機や昇降機等に限らず、例えば、家電製品、車両、工場における生産機械やプラント等を想定してもよい。また、設備３０３は、内蔵するセンサが検出した検知信号を、インターネットを介して保守サービス会社３０４に通知する、いわゆるＩｏＴ(Ｉｎｔｅｒｎｅｔ  ｏｆ  Ｔｈｉｎｇｓ)技術を適用したものであってもよい。
【００６６】
保守サービス会社３０４は、設備３０３の保守を行う保守作業員３０５を擁している。保守作業員３０５は、保守等を行わないときには保守サービス会社３０４に待機している。
【００６７】
診断サービス会社３０６は、設備３０３を監視し、異常発生等を診断する事業体である。倉庫３０７は、保守用のパーツを流通するパーツ事業体である。メーカ工場３０８は、パーツを生産するパーツ事業体である。シミュレーションでは事業体、Ｏ＆Ｍ資産、人物を任意の数、任意の地点に設定できる。
【００６８】
同図（Ｂ）は、シミュレーション対象の事業体、Ｏ＆Ｍ資産、人物の係わりを示している。図中の実線矢印は、人、物の移動、太線実線矢印はパーツの移動、破線矢印は、情報の授受を意味する。
【００６９】
第１の建物３０２１には３つの設備３０３１が設置されている。設備３０３１の保守は、保守サービス会社３０４１が実施する。また、設備３０３１の監視は、診断サービス会社３０６１が実施する。
【００７０】
第２の建物３０２２には２つの設備３０３２が設置されている。設備３０３２の保守は、保守サービス会社３０４２が実施する。また、設備３０３２の監視は、診断サービス会社３０６１が実施する。診断サービス会社３０６１は、設備３０３２の異常発生を検知した場合、診断レポート３１６を建物３０２２に通知するとともに、設備３０３２の保守を担当する保守サービス会社３０４２にも通知する。
【００７１】
保守サービス会社３０４２は、診断サービス会社３０６１を介して通知される診断レポート３１６に基づき、建物３０２２の設備３０３２の保守（予知メンテナンス）の日程を計画する。保守サービス会社３０４２の保守作業員３０５２は、計画された日程に従って予知メンテナンスを実施する。なお、設備３０３２の予知メンテナンスについては、必ずしも診断サービス会社３０６１を介して、計画、実施する必要は無い。
【００７２】
第３の建物３０２３には設備３０３３が設置されている。建物３０２３は、保守サービス会社３０４３と定期メンテナンスを契約している。保守サービス会社３０４３の保守作業員３０５３は、定期メンテナンスの計画に従って建物３０２３の設備３０３３の定期メンテナンスを実施する。設備３０３３が故障した場合、建物３０２３は、直接、保守サービス会社３０４３に修理を依頼し、この依頼に応じ、保守作業員３０５３は設備３０３３の修理を実施する。
【００７３】
なお、保守を実施するに際しては、パーツを交換するため、交換用の新品のパーツの在庫は減少する。保守サービス会社３０４３は在庫を管理して、パーツが不足する場合には、倉庫３０７２にパーツを発注する。この発注に応じ、倉庫３０７２は、パーツを保守サービス会社３０４３に発送する。保守サービス会社３０４３は、発送されたパーツを検収した後、新たな在庫として管理する。
【００７４】
倉庫３０７２は、パーツの在庫管理を実施しており、パーツが不足する場合にはメーカ工場３０８にパーツを発注する。メーカ工場３０８では、在庫のパーツが不足する場合、パーツを生産する。即ち、メーカ工場３０８は、生産オーダを発行し、所定の期間でパーツを製作し、新たな在庫とする。
【００７５】
シミュレーションでは、その前提として、事業体、Ｏ＆Ｍ資産とその稼動条件、保守作業員数の他、Ｏ＆Ｍ資産稼動に対する故障確率、各種保守方式と条件、パーツ費用等の条件が設定される。そして、シミュレーションでは、時系列で日々、時間の経過を追って、Ｏ＆Ｍ資産が稼動し、Ｏ＆Ｍ資産の劣化に従って不具合、故障が発生し、各種の保守の日程を調整、実施する、という内容を模擬的に実施する。そして、シミュレーションを終了した後、収益、稼働率、コストを集計する。以上、シミュレーション対象と処理の概要の説明を終了する。
【００７６】
＜各種の保守方式の計画と実施の概要＞
次に、各種の保守方式の計画と実施の概要について、図５を参照して説明する。保守方式は、同図（Ａ）に示す定期メンテナンス、同図（Ｂ）に示す修理、同図（Ｃ）に示す状態監視メンテナンス、及び同図（Ｄ）に示す予知メンテナンスの４種類を想定する。同図（Ａ）〜（Ｄ）における横軸は時間であり、右方向に時間の経過を意味する。
【００７７】
定期メンテナンスでは、同図（Ａ）に示すように、予め設定されている一定間隔で周期的にメンテナンスが実施される。なお、突発的な故障に応じて修理を行った場合であっても、メンテナンスの間隔は保たれる。
【００７８】
修理では、同図（Ｂ）に示すように、Ｏ＆Ｍ資産に故障が発生した場合、出来るだけ早く該Ｏ＆Ｍ資産を復旧する措置が行われる。具体的には、故障が発生した場合、例えば当日や翌日以降で可能な限り保守作業員の都合が付く日時に修理日程が計画されて実施される。
【００７９】
状態監視メンテナンスでは、同図（Ｃ）に示されるように、Ｏ＆Ｍ資産の累積の稼動量に応じて保守を実施する。稼動量は状態量として管理される。状態量は、例えば、累積の稼動時間、電力消費等の負荷を指す。また、Ｏ＆Ｍ資産が車両である場合、走行距離を指す。同図（Ｃ）の縦軸は状態量であり、メンテナンスの要否を判定するための管理値が設定される。メンテナンス実施後、稼動に関する状態量変化を監視し、状態量が管理値に達した時点でメンテナンスを計画、実施する。なお、故障発生に応じて修理を実施した場合、Ｏ＆Ｍ資産は復旧して状態量が初期化され、その時点からの変化が監視される。
【００８０】
予知メンテナンスでは、同図（Ｄ）に示されるように、Ｏ＆Ｍ資産から出力される信号値を監視し、信号値が閾値を越えたことを検知してメンテナンスを計画、実施する。同図（Ｄ）の縦軸は信号値であり、閾値が設定される。予知メンテナンスでは、故障を検知するものではないため、検知後に故障するまでの残寿命の期間、メンテナンス実施の余裕がある。したがって、予知メンテナンスの日程はＯ＆Ｍ資産、保守事業体の都合を反映して計画することができる。なお、予知メンテナンスを実施するまでに故障が発生した場合には、修理を行うことになる。以上で、各種の各保守方式の計画と実施の概要の説明を終了する。
【００８１】
＜Ｏ＆Ｍ資産の各系統における故障確率と故障率＞
次に、Ｏ＆Ｍ資産の各系統において不具合、故障を確率的に発生させるための故障確率と故障率について、図６を参照して説明する。図６は、稼動時間に対する不具合の発生と故障確率の関係を示している。
【００８２】
同図（Ａ）は、Ｏ＆Ｍ資産が稼動した分だけ劣化し、劣化に比例して不具合、故障が発生する、稼動時間ベースの不具合発生の状況を示している。同図（Ａ）左側の不具合発生グラフにおいて、縦軸は不具合の度合いを表し、不具合の度合いは、Ｎｏｒｍａｌ（正常（不具合なし））、Ａｌｅｒｔ（警告（不具合少））、Ｕｒｇｅｎｔ（緊急（不具合多））、Ｃｒｉｔｉｃａｌ（致命的（故障発生）)の順に大きい。該グラフにおいて、不具合は、稼動時間に対して徐々に劣化する直線として表現される。不具合は、故障発生に応じて行われる修理により正常まで復旧することになる。該不具合発生グラフは、状態監視メンテナンスや定期メンテナンスの時期を説明するために用いることができる。しかしながら、稼動時間ベースの場合、故障確率は、同図（Ａ）右側に示すように、決まった稼動時間で不具合（点線）が発生し、また決まった稼動時間で故障（実線）が必ず発生してしまい、現実的ではない。
【００８３】
次に同図（Ｂ）は、Ｏ＆Ｍ資産の稼動時間に対する、確率(故障率)ベースの不具合発生と故障確率を示している。同図（Ｂ）左側に示す不具合発生グラフのように、稼動時間中のあるタイミングで不具合が発生して、不具合の度合いはＮｏｒｍａｌからＡｌｅｒｔ、またはＵｒｇｅｎｔに跳ぶ。また、あるタイミングで故障して、度合いはＣｒｉｔｉｃａｌに跳ぶ。確率ベースのモデルは、乱数が所定の確率値を超えた場合に、異なる状態に遷移するモデルであるため、不具合、故障の発生が「跳ぶ」という形で現れる。この確率は故障率λと称される。
【００８４】
故障率λに対する故障の発生は、次式（１），（２）を用いて判定する。
【００８５】
【数１】
2019133412.tif 000003
【００８６】
【数２】
2019133412.tif 000004
【００８７】
なお、式（１）におけるＵは一様乱数の生成を表し、[ａ,ｂ)はａ以上、ｂ未満の範囲を表す記号である。よって、Ｕ [ａ,ｂ)は、ａ以上、ｂ未満の範囲の一様乱数の生成を意味する。
【００８８】
故障率λの単位が(確率/日)である場合、１日当たり２４時間稼動し、１時間毎に故障発生を判定するときにはλ/２４を故障率とすればよい。１日当たり１２時間稼動し、不稼動中は故障しないとするときには、稼動中の１時間毎の故障率をλ/１２とすればよい。すなわち、判定の時間間隔に対して故障率の時間の単位を変換すればよい。
【００８９】
確率ベースのモデルの故障確率グラフは、同図（Ｂ）右側に示すように不具合（点線）と、故障（実線）とに分けて表現される。確率ベースの故障確率グラフによれば、Ｏ＆Ｍ資産は、稼動時間が長ければ、不具合や故障が発生する系統が多くなり、また、稼動時間が短くても、不具合や故障が発生する系統が存在することがわかる。
【００９０】
確率ベースは、稼動時間ベースに比較して現実的に不具合や故障の発生を評価できるので、本実施の形態では、確率ベースの不具合発生と故障確率を採用することにする。
【００９１】
＜故障確率、故障率に求められる課題＞
ここで、故障確率、故障率に求められる課題について、図７を参照して説明する。図７は、故障確率、故障率に求められる課題を説明するための図である。
【００９２】
同図（Ａ）に、様々な故障確率分布を示す。Ｏ＆Ｍ資産とその系統は様々であり、同じ型式であっても使用環境や、品質的な個体差があり、故障確率は様々となる。故障確率は、分布関数であり、広義単調増加であって、横軸の時間が０のとき、確率値は０となり、ある時間または無限大の時間で１となる関数であり、それらの条件が満足する限り形は制限されない。
【００９３】
同図（Ａ）に実線で示す故障確率分布８０１は、代表的な確率値０．５で稼動時間ｔとなる。この確率値０．５と稼動時間ｔを固定しても、稼動時間ｔ前後で故障確率が様々に異なる故障確率分布が存在し得る。例えば稼動時間ｔ前における故障確率が故障確率分布８０１よりも高い故障確率分布８０４や、例えば稼動時間ｔ後における故障確率が故障確率分布８０１よりも低い故障確率分布８０７が存在し得る。
【００９４】
同図（Ｂ）と同図（Ｃ）は、故障率と故障確率の違いを説明するための図である。故障確率は、故障時間確率とも称される。上述したように、確率ベースの場合、乱数が故障率を超えた場合に不具合や故障の発生を表すことができるので、確率ベースのシミュレーションでは故障率が設定されなければならない。
【００９５】
故障率とは、ある時点における、所定の時間間隔における故障の回数である。例えば稼動半年の時点において、１年に１回故障が起きる確率であって、この場合、単位系は回数/年である。同図（Ｂ）に示す故障率（ｆａｉｌｕｒｅ  ｒａｔｅ）のグラフは、横軸が時間、縦軸が故障率(times/day)である。故障率の値は小さく、また故障の数そのものと直接対応しないため、数値的な設定は難しい。
【００９６】
一方、同図（Ｃ）に示す故障確率の分布（ｆａｉｌｕｒｅ  ｄｉｓｔｒｉｂｕｔｉｏｎ）のグラフは、横軸が時間(ｄａｙ)、縦軸が確率(ｐｒｏｂａｂｉｌｉｔｙ)である。故障確率の分布のグラフであれば、１００日から故障確率０．１で増加を始めて、２００日弱で故障確率０．５、すなわち、Ｏ＆Ｍ資産の全台数のうち、５割程度が故障し、その後２８０日までに９割程度が故障することを容易に読み取ることができる。したがって、故障確率分布のグラフは、故障率のグラフよりも分り易いと言える。
【００９７】
故障確率と故障率の間には信頼性工学における理論的な関係が成立するため、本実施の形態では、ユーザは分かり易い故障確率を設定するように、制御部１０の故障率算出部１０４にて、設定された故障確率から故障率を算出するようにする。故障確率は様々な分布を設定することが可能であり、それに基づいて算出される故障率も様々な分布となる。このため、故障率を細かい時間区分で区切って、各区分で故障率変化を線分で現す区分線形故障率モデルを定義することにする。
【００９８】
＜区分線形故障率モデル＞
次に、図８は区分線形故障率モデルを説明するための図である。
【００９９】
同図（Ａ）は、区分線形故障率モデルの一例となるグラフに示している。該グラフの横軸は時間、縦軸は故障率を示す。時間の範囲を任意の数に分割し、区分内で直線分により故障率の変化を定める。同図（Ａ）の場合、区分９０１〜９０６の６区分としている。区分９０１は、０時点から始まる。また最後の区分９０６は、無限大までの範囲である。
各区分では、故障率が時間ｔの範囲と直線によって定義される。
【０１００】
同図（Ｂ）は、各区分における直線による故障率の変化の例を示している。各区分の直線は、次式（３）に示すように表記できる。
【０１０１】
【数３】
2019133412.tif 000005
【０１０２】
式（３）における切片ｂの値は、式(１)，(２)の関係から分るように故障率λが範囲[0,1)（０以上１以下）となるように設定されればよい。同図（Ｂ）に示す直線分９１１は、係数aが０であるときを示しており定常故障率と称される。直線分９１２は、係数aが正の値であるときを示しており増加故障率と称される。直線分９１３は、係数aが負の値であるときを示しており減少故障率と称される。
【０１０３】
同図（Ｃ）は、各区分の故障率の定義の例を示している。基準故障率と開始時点において、単位量１の時間変化に対する増分が与えられれば、終了時点までの直線分が得られる。
【０１０４】
同図（Ｄ）増分の設定の例を示している。開始時点ｔ１の故障率ｆｒ１、終了時点ｔ２の故障率ｆｒ２が与えられれば、増分Δは、Δ＝(ｆｒ１−ｆｒ２)/(ｔ１−ｔ２)の計算で得ることができる。
【０１０５】
図６を参照して説明したように、不具合、故障の発生は、Ｎｏｒｍａｌ、Ａｌｅｒｔ、Ｕｒｇｅｎｔ、Ｃｒｉｔｉｃａｌの４つ不具合の度合いと対応するならば、判定の基準となる区分線形故障率モデルはＡｌｅｒｔ判定、Ｕｒｇｅｎｔ判定、及びＣｒｉｔｉｃａｌ判定の３つが必要となる。
【０１０６】
図９は、Ａｌｅｒｔ判定、Ｕｒｇｅｎｔ判定、及びＣｒｉｔｉｃａｌ判定のための区分線形故障率モデルの例を示している。同図における区分線形故障率モデルの分布はバスタブ曲線を模したものである。
【０１０７】
一般に、Ｏ＆Ｍ資産は不具合が発生した後に故障に至ると考えられるため、故障よりも不具合の方が発生し易いとする。Ｃｒｉｔｉｃａｌ区分線形故障率を基準、すなわち、１倍（×１）とすれば、Ｕｒｇｅｎｔ区分線形故障率は２倍（×２）、Ａｌｅｒｔ区分線形故障率は４倍（×４）と設定できる。
【０１０８】
該区分線形故障率モデルでは、故障率λが０からＣｉｒｉｔｃａｌ区分線形故障率までの範囲がＣｒｉｔｉｃａｌと判断できる。また、故障率λがＣｒｉｔｉｃａｌ区分線形故障率からＵｒｇｅｎｔ区分線形故障率までの範囲がＵｒｇｅｎｔと判断できる。さらに、故障率λがＵｒｇｅｎｔ区分線形故障率からＡｌｅｒｔ区分線形故障率までの範囲がＡｌｅｒｔと判断できる。またさらに、故障率λがＡｌｅｒｔ区分線形故障率から１までの範囲がＮｏｒｍａｌと判定できる。
【０１０９】
なお、上記した説明では、各判定の区分線形故障率モデルを、Ｃｒｉｔｉｃａｌ区分線形故障率を基準として整数倍するようにしたが、Ｃｒｉｔｉｃａｌ区分線形故障率を基準として所定の差分を加算し、各故障率が平行になるように設定してもよい。また、各判定の区分線形故障率モデルを個別に設定するようにしてもよい。
【０１１０】
＜故障確率から区分線形故障率モデルを求める方法＞
故障発生を判定するためには故障率が必要となるが、故障率では判定基準の設定が難しい。一方、故障確率では故障発生を判定するための判定基準の設定は容易である。故障確率と故障率の間には信頼性工学における理論的関係がある。そこで、故障確率を設定して区分線形故障率モデルを求める方法について説明する。
【０１１１】
まず、信頼性工学における故障率に関する理論を説明する。信頼度Ｒ(ｔ)、故障確率(故障分布)Ｆ(ｔ)、故障密度ｆ(ｔ)は、次式（４）〜（６）によって定義される。
【０１１２】
【数４】
2019133412.tif 000006
【０１１３】
【数５】
2019133412.tif 000007
【０１１４】
【数６】
2019133412.tif 000008
【０１１５】
ここで、Ｐｒは、範囲の分布関数の値を求める関数であり、次式（７）にように表記できる。
【０１１６】
【数７】
2019133412.tif 000009
【０１１７】
故障率λは、ある時点tにおいて、時間範囲に対して故障が発生する確率であり、次式（８）にように表記できる。
【０１１８】
【数８】
2019133412.tif 000010
【０１１９】
式（８）から信頼度と故障率の関係がわかる。また、故障率の関数が決まれば、信頼度Ｒ(ｔ)を次式（９）によって決めることができる。
【０１２０】
【数９】
2019133412.tif 000011
【０１２１】
また、式（５）から故障確率も決めることができる。
【０１２２】
図１０は、区分線形故障率モデルに基づく信頼度（同図（Ａ））、故障確率（同図（Ｂ））、故障密度（同図（Ｃ））、及び故障率（同図（Ｄ））の関係の例を示している。信頼度（同図（Ａ））と故障確率（同図（Ｂ））は、時点でのデータを直線分で連結した破線のグラフのみを示している。故障密度（同図（Ｃ））は、実線で示す曲線のグラフも示している。信頼度の曲線は式（９）、故障確率の曲線は式（５）煮よりもとめることができる。区間番号は０から始まるインデクスで示し、区分のインデクスは、開始時点のインデクスと一致する。最後の区分のインデクスをｎとすれば、全区分数はｎ＋１である。故障確率の設定はインデクスｎまでのデータなので、最後の区分ｎの信頼度、故障確率、確率密度、及び故障率は、１つ前の区分ｎ−１と同じ値に設定している。
【０１２３】
区分ｉにおいて、故障率λ（ｔ）は次式（１０）である。
【０１２４】
【数１０】
2019133412.tif 000012
【０１２５】
ただし、故障率λ（ｔ）故障率は０以上の値でなければならない。式(９)の関係を用いると、区分ｉにおいて、信頼度Ｒ（ｔ）は次式（１１）となる。
【０１２６】
【数１１】
2019133412.tif 000013
【０１２７】
故障確率Ｆ（ｔ）と故障密度ｆ（ｔ）は、上記した関係から求めて設定することができる。
【０１２８】
そして、設定された故障確率Ｆ（ｔ）から、区分線形故障率モデルを求める。区分線形故障率モデルのデータは、時点ｔｉに対する故障率Ｆｉで与えられる。
【０１２９】
次に、信頼度Ｒｉ＝１−Ｆｉとして、区分線形故障率モデルのパラメータａｉ，ｂｉと、式(１１)に現れたｃｉの求め方について説明する。
【０１３０】
区分線形故障率モデルのパラメータは、区分０から、区分１から区分ｎまで順次求めていく。
【０１３１】
区分０のパラメータの求め方は以下のとおりである。区分０において、信頼度のデータは以下の２点である。
【０１３２】
【数１２】
2019133412.tif 000014
【０１３３】
開始時点ｔ０＝０の故障確率Ｆ０＝０、つまり、信頼度Ｒ０＝１である。式(１１)より、１＝ｅｘｐ(ｃ０)であるからｃ０＝０となる。
【０１３４】
式(１１)の両辺の対数を取って区分０を定常故障率とすれば、パラメータは次式（１３）のように求めることができる。
【０１３５】
【数１３】
2019133412.tif 000015
【０１３６】
なお、開始時点ｔ０で故障率λを設定してパラメータを求めてもよい。特に、初期不良の発生は減少故障率ＤＦＲであることも想定される。つまり、ａ０＜０となり、故障率λ＝０のときが存在し得る。この時点をｔ０＊とおいて、区間[ｔ０，ｔ０＊)と区間[ｔ０＊，ｔ１)のパラメータをそれぞれ求めればよい。
【０１３７】
このことは、区分０の区間[ｔ０,ｔ１)を、区間[ｔ０,ｔ０＊)と区間[ｔ０＊,ｔ１)とに分割することを意味する。よって元の区分１以降のインデクス値に１を加えて、区間[ｔ０＊,ｔ１)を新たに区分１とする。新たな区分１にパラメータは、次式（１４）のとおりである。
【０１３８】
【数１４】
2019133412.tif 000016
【０１３９】
次に、中間の区間ｉのパラメータの求め方を説明する。区間の信頼度データは次式（１５）で与えられる。
【０１４０】
【数１５】
2019133412.tif 000017
【０１４１】
式（１１）に示した対数変換より、次式（１６）の連立方程式が得られる。
【０１４２】
【数１６】
2019133412.tif 000018
【０１４３】
さらに、図１０（Ｄ）に示すように、故障率は区分ｉ−１と区分ｉの間の時点ｔｉにおいて連結すれば、次式（１７）を得る。
【０１４４】
【数１７】
2019133412.tif 000019
【０１４５】
区分線形故障率モデルのパラメータはインデクスの小さい区分から順次求めているので、式（１７）におけるａｉ−１，ｂｉ−１は求まっており、左辺は既に値が得られる。よって、式（１６），（１７）よりパラメータａｉ，ｂｉ，ｃｉに関する連立方程式を得ることができる。
【０１４６】
式（１６），（１７）をベクトルＶｆ，Ｖａと行列ＭＦを用いて次式（１８）に示すように表示すれば、パラメータは次式（１９）によって得ることができる。
【０１４７】
【数１８】
2019133412.tif 000020
【０１４８】
【数１９】
2019133412.tif 000021
【０１４９】
なお、式（１９）の左辺でパラメータの存在を明示しており、ベクトルの右上添え字Ｔは転置を意味する。行列ＭＦは行列式が０にはならないので、必ず逆行列が存在する。
【０１５０】
Ｒｉ(ｔｉ)＝Ｒｉ(ｔｉ＋１)のように信頼度に変化が無い場合、その区分は故障率λ＝０である。よって、ａｉ＝ｂｉ＝０、且つ、Ｒｉ−１(ｔｉ)＝Ｒｉ(ｔｉ)なので、パラメータは次式（２０）によって得ることができる。
【０１５１】
【数２０】
2019133412.tif 000022
【０１５２】
なお、定常故障率としたい場合にはａｉ＝０とすればよい。その上で、式（１６）の連立方程式を解けばよい。
【０１５３】
この場合、必ず逆行列が得られるため、ｂ０，ｃ０も得ることができる。
以上が中間区分iのパラメータの求め方である。
【０１５４】
次に、終端区分ｎのパラメータの求め方を説明する。終端区分ｎは、区分ｎ−１と同じパラメータとする。すなわち、次式（２１）のとおりとする。
【０１５５】
【数２１】
2019133412.tif 000023
【０１５６】
ただし、時間が無限大までの間に必ず故障確率が１になるように、ａｎ，ｂｎ，ｃｎを設定する必要がある。以上が終端区分ｎのパラメータの求め方である。
【０１５７】
＜故障確率の設定＞
次に、故障確率の設定方法について説明する。故障確率は、各区分の開始時点、例えば、０日、５０日、１００日、１８０日、２１０日に対して、それぞれ０．０，０．１，０．２，０．５，０．９等の値を設定できる。また、ＦＲ０コマンドにより、稼動時間の０日に対して故障率の初期値を設定することができる。さらに、ＣＦＲコマンドにより、任意の区分に対して定常故障率であることを指定できる。
【０１５８】
＜故障確率設定画面の表示例＞
次に、図１１は、ユーザが故障確率を設定するための故障確率設定画面の第１の表示例を示している。
【０１５９】
該故障確率設定画面１３０１は、条件設定部１０２からの指示に基づき、表示制御部４０によってディスプレイに表示される。ユーザは故障確率設定画面１３０１において表入力を行うことによって故障確率を設定できる。
【０１６０】
故障確率設定画面１３０１には、表設定欄１３０２、及び操作欄１３０６が設けられている。
【０１６１】
表設定欄１３０２では、ユーザが数値やコマンドを入力することにより、故障確率を設定することができる。具体的は、同図の場合、例えば、０日、９０日、１２０日、１５０日、２５０日に対して、それぞれ故障確率０．０，０．１，０．５，０．７５，０．９９の値が設定されている。また、０日に対してはＦＲ０コマンドを用いて故障率の初期値を表すパラメータとして０．０１が設定されている。さらに、９０〜１２０日と２５０日〜無限の区分に対しては、ＣＦＲコマンドを用いて定常故障率が指定されている。
【０１６２】
表設定欄１３０２には、追加ボタン１３０３と削除ボタン１３０４が設けられている。ユーザは、追加ボタン１３０３を押下することにより、日数を追加して、区分数を増加させることができる。また、ユーザは、チェックボックス１３０５を選択してから削除ボタン１３０４を押下することにより、行を削除して、区分数を減少させることができる。
【０１６３】
なお、故障確率は日数に対して広義増加関数であるため、増加の有無を判定して入力が不適切であった場合、ユーザに再入力を促すことができる。
【０１６４】
操作欄１３０６には、設定確認ボタン１３０７、キャンセルボタン１３０８、及びＯＫボタン１３０９が設けられている。設定確認ボタン１３０７が押下された場合、表設定欄１３０２に対する入力に基づいて計算した区分線形故障率モデルのグラフが表示される。キャンセルボタン１３０８が押下された場合、表設定欄１３０２に対する入力は無効とされて該故障確率設定画面１３０１が閉じられる。ＯＫボタン１３０９が押下された場合、表設定欄１３０２に対する入力に応じて故障確率が設定される。
【０１６５】
なお、設定確認ボタン１３０７が押下された場合、表設定欄１３０２に対する入力に対応する故障確率のグラフが表示されるようにしてもよい。
【０１６６】
次に、図１２は、ユーザが故障確率を設定するための故障確率設定画面の第２の表示例を示している。
【０１６７】
該故障確率設定画面１３１１は、条件設定部１０２からの指示に基づき、表示制御部４０によってディスプレイに表示される。ユーザは、故障確率設定画面１３１１においてグラフ描画を行うことによって故障確率を設定できる。
【０１６８】
故障確率設定画面１３１１には、描画設定欄１３１２、目盛調整欄１３１３、及び操作欄１３１４が設けられている。
【０１６９】
描画設定欄１３１２では、ユーザがマウス等の操作デバイスを用い、例えば、左クリックで点を生成、シフトボタンと左ドラッグ、ドロップで移動することにより、故障確率のグラフを描画することができる。また、ユーザがマウスの右クリックでオプション設定や削除などのメニュー表示の操作を行うことができる。
【０１７０】
目盛調整欄１３１３では、描画設定欄１３１２に表示されているグラブ軸の目盛を調整することができる。
【０１７１】
操作欄１３１４には、設定確認ボタン１３１５、キャンセルボタン１３１６、及びＯＫボタン１３１７が設けられている。設定確認ボタン１３１５が押下された場合、描画設定欄１３１２に対する入力に基づいて計算した区分線形故障率モデルのグラフが表示される。キャンセルボタン１３１６が押下された場合、描画設定欄１３１２に対する入力は無効とされて該故障確率設定画面１３１１が閉じられる。ＯＫボタン１３１７が押下された場合、描画設定欄１３１２に対する入力に応じて故障確率が設定される。
【０１７２】
＜区分ワイブル故障率モデル＞
上述した説明では、Ｏ＆Ｍ資産に対して区分線形故障率を採用するようにしたが、区分線形故障率の代わりに、時間の経過に伴う劣化現象を表すワイブル分布を活用した区分ワイブル故障率を採用してもよい。また、故障時間データをから故障率の直線を推定するワイブル型累積ハザード法を活用した区分ワイブル故障率でもよい。
【０１７３】
具体的には、各区分における２点（始点と終点）の稼動時間に対する故障確率を設定し、該２点間はワイブル分布に従って補間する。ワイブル分布に基づく故障確率は区分毎に連結すれば広義単調増加となり、時間が無限大のとき故障確率は１となるため、区分に分割しても０時間以降の時間領域で故障確率を定義できる。そこで区分線形故障率モデルに倣い、区分ワイブル故障率モデルを定義できる。
【０１７４】
区分ワイブル故障率モデルを採用した場合、ユーザは各区分に対して２点（始点と終点）の稼動時間に対する故障確率を設定すればよいので、区分線形故障率モデルに比較して、ユーザが設定する必要があるパラメータの量を減らすことができる。
【０１７５】
＜ＫＰＩを最良とする保守方式の条件を求める方法＞
次に、ＫＰＩを最良とする保守方式の条件を求める方法について説明する。
【０１７６】
Ｏ＆Ｍサービスシミュレーションでは、条件として、事業体、Ｏ＆Ｍ資産、保守作業員が設定され、Ｏ＆Ｍ資産には系統の構成が定義されて異常の管理基準情報と故障率が設定される。Ｏ＆Ｍ資産に対しては、稼動時間や稼動計画が設定される。またメンテナンス内容やパーツの一覧と在庫が設定される。
【０１７７】
保守方式としては、定期メンテナンス、修理、状態監視メンテナンス、予知メンテナンスの４種類が計画される。例えば定期メンテナンスでは、条件として実施周期が設定される。状態監視メンテナンスに対しては、条件として管理値が設定される。予知メンテナンスに対しては閾値が設定される。
【０１７８】
そして、様々な条件を設定してＯ＆Ｍサービスシミュレーションを行った結果として、メンテナンス実施回数やＯ＆Ｍ資産の稼働率などの結果を集計する。結果から、事業体の事業業績を現すＫＰＩを計算する。
【０１７９】
図１３は、ＫＰＩを最良とする最適な条件を求める方法の概要を示している。以下、ＫＰＩを最良とする最適な条件を求めることを、最適条件探索と称する。
【０１８０】
同図（Ａ）は、最適条件探索のためのシミュレーション条件とＫＰＩとの関係の求め方の概要を示している。条件としては、定期メンテナンスの周期、故障率、作業員(の人数)、Ｏ＆Ｍ資産の稼動時間等である。ＫＰＩは、収益、コスト(費用)、稼働率、混同行列、在庫、(パーツの)生産量等である。ここで、混同行列とは、異常検知の検知有無に対する不具合、故障有無の割合を表現する行列であり、異常検知の能力の指標となるものである。
【０１８１】
最適条件探索では、条件とＫＰＩの関係をモデル化する必要がある。条件とＫＰＩの関係は、Ｏ＆Ｍサービスビジネスの内容を単純にしなければ、数学的に（代数的な変形や組合せ最適化理論を適用して）求めることは困難である。
【０１８２】
そこで、各種条件下においてシミュレーションを行い、その結果に基づいてＫＰＩを算出して、データ的に機械学習技術を適用して、条件とＫＰＩの関係をモデル化する。また、Ｏ＆Ｍ資産の各系統に対しては故障率を設定して確率的に不具合、故障を発生させるため、同一条件でシミュレーションしても結果が異なる。そこで、複数の条件を設定し、各条件下で複数回シミュレーションを実行して、複数のＫＰＩを算出し、条件を入力、ＫＰＩを出力として、それらの組合せをデータとして機械学習を行う。
【０１８３】
機械学習は、入力（条件）に対する出力（ＫＰＩ）の関係を定義する数学的なモデルのパラメータ、及び学習の性能指標やデータの統計量を求めることを意味する。機械学習の結果としては、入力（条件）と出力（ＫＰＩ）との間を関係付けるモデルを得ることができる。以下、該モデルを条件−ＫＰＩ関係モデルと称する。
【０１８４】
同図（Ｂ）は、条件−ＫＰＩ関係モデルができることの概要を説明するための図であり、簡単のため、横軸を１つの条件、縦軸を１つのＫＰＩとしたグラフにより条件−ＫＰＩ関係モデルを示している。
【０１８５】
太実線で示した条件−ＫＰＩ関係モデルにより、条件に対して１つのＫＰＩを決めることができる。条件−ＫＰＩ関係モデルに対してはばらつきが存在しており、該ばらつきは、条件に対してＫＰＩがばらつく範囲を示している。条件−ＫＰＩ関係モデルによれば、ＫＰＩを予測して、ＫＰＩ最良の値を求めることができる。一方で、最適化により、ＫＰＩからそれに対応する条件を探索できる。そこでＫＰＩ最良の条件を、最適化により、条件調整することができる。条件−ＫＰＩ関係モデルが下に凸の２次関数の場合、ＫＰＩが最小値となる条件は単純に計算できる。
【０１８６】
次に、図１４は、同一条件下で複数回シミュレーションを実施した結果に基づく複数のＫＰＩの分布(ばらつき)の例を示している。
【０１８７】
同図（Ａ）は、定期メンテナンスの定期間隔（周期）を３０日間として、複数回シミュレーションを実施した結果に基づく複数のＫＰＩのヒストグラム（頻度分布）を示している。同図（Ｂ）は、定期メンテナンスを実施しない（または、定期メンテナンスの定期間隔（周期）を非常に長い期間）として、複数回シミュレーションを実施した結果に基づく複数のＫＰＩのヒストグラム（頻度分布）を示している。同図（Ａ），（Ｂ）の横軸は、ともに保守に要するコストである。
【０１８８】
両ヒストグラムを比較すると、定期メンテナンスを実施しない方（同図（Ｂ））は右側（コストが高くなる側）に裾が広いが、定期メンテナンスを実施しない方（同図（Ｂ））は左側（コストが安くなる側）に裾が広く、頻度のピークが２箇所存在している。
【０１８９】
同図（Ｃ）は、横軸を条件（定期メンテナンスの定期間隔（周期））、縦軸をＫＰＩ（保守に要するコスト）とする、条件に対するＫＰＩの散布図を示している。同図（Ｃ）によれば、各条件でＫＰＩのばらつきの大きさが異なることが分かる。また、定期間隔の日数に対して、コストは０日から低下し、１６０日程以降ではコストがやや上昇していることが分かる。
【０１９０】
このように、条件に対してＫＰＩには変化があり、また、ばらつきもある状況で最適な条件を決めるためには、まず最良なＫＰＩを定めることが必要である。
【０１９１】
図１３（Ｂ）に太実線で示した条件−ＫＰＩ関係モデルのように、条件に対するＫＰＩの変化が定まれば、ＫＰＩを最小(最良)とする条件は探索できる。ただし、ＫＰＩには、ばらつきがあり、ばらつきが大きければ、悪いＫＰＩになるリスクが大きいことになる。反対に、ばらつきが小さければ、ＫＰＩは安定している。よって、ＫＰＩのばらつきが小さくなる条件の方が、ＫＰＩのばらつきが大きくなる条件よりも良いと考えられる。
【０１９２】
条件に対してＫＰＩに変化とばらつきがある場合の、最適条件探索のためのＫＰＩ評価の考え方を、図１５を参照して説明する。図１５は、ある条件に対するＫＰＩの分布の一例を示す箱ひげ図１６０１を示している。
【０１９３】
条件に対するＫＰＩの変化は、各条件において代表的なＫＰＩの値である代表値を条件間で繋いだ線１６１１とする。なお、代表値は、箱ひげ図における箱の中心を線で結んでいるため、代表値は、中央値(累積確率0.5)を意味する。ただし、代表値は、平均値、または最頻値であってもよい。また、多項式など条件−ＫＰＩ関係モデルの表現を与える任意の数理モデルであってもよい。
【０１９４】
一方でＫＰＩのばらつきを表現するために、分布における上側値と下側値を定める。上側値の条件に対する変化は線１６１２、下側値の条件に対する変化は線１６１３となる。上側値と下側値の差を、ばらつき範囲とする。ばらつき範囲は、条件に対して変化する。
【０１９５】
代表値ＫＰＩrepresentativeは条件ｘに対して変化し、また、ばらつき範囲ｒａｎｇｅも条件ｘに対して変化する関数である。そこで、代表値ＫＰＩrepresentativeとばらつき範囲ｒａｎｇｅを合成して評価ＫＰＩモデルＫＰＩeval（ｘ）を次式（２２）のように定義する。
【０１９６】
【数２２】
2019133412.tif 000024
【０１９７】
なお、図１４の例では、代表値とばらつき範囲はともに小さいほうが望ましいので、代表値とばらつき範囲を加算して合成するようにした。なお、代表値とばらつき範囲はともに正の値なので、積算して合成するように定義してもよい。
【０１９８】
評価ＫＰＩモデルによれば、次式（２３）により、評価ＫＰＩを最小とする条件ＣBestを探索することができる。
【０１９９】
【数２３】
2019133412.tif 000025
【０２００】
なお、評価ＫＰＩ最良値が最大値である場合においても同様に探索することができる。
【０２０１】
ＫＰＩの代表値は、平均値、最頻値、また中央値など特定の確率値を算出することにより、または、数理モデルによる回帰統計量(回帰線)等により、様々な方法で求めることができる。また、ＫＰＩのばらつき範囲を表す上側値と下側値についても、各条件におけるＫＰＩの標準偏差、代表値に対して上側と下側それぞれのデータを用いた上側/下側標準偏差、ＫＰＩの確率分布における特定の確率値に対するＫＰＩなど、様々な方法で求めることができる。
【０２０２】
＜評価ＫＰＩ設定画面＞
次に、図１６は、最適条件探索のための評価ＫＰＩ設定画面の表示例を示している。
【０２０３】
該評価ＫＰＩ設定画面１７０１は、条件設定部１０２からの指示に基づき、表示制御部４０によってディスプレイに表示される。ユーザは評価ＫＰＩ設定画面１７０１において評価ＫＰＩモデルに関する設定を行うことができる。
【０２０４】
評価ＫＰＩ設定画面１７０１には、ＫＰＩ・条件表示欄１７０２、評価ＫＰＩ選択欄１７０３、グラフ表示欄１７０４、分布確認欄１７０５、及び操作欄１７０７が設けられている。
【０２０５】
ＫＰＩ・条件表示欄１７０２には、評価対象とするＫＰＩの項目（同図の場合、コスト）と、条件（同図の場合、定期メンテナンス間隔）が表示される。
【０２０６】
評価ＫＰＩ選択欄１７０３では、評価ＫＰＩモデルを、ばらつき範囲の観点で、両側標準偏差、上下標準偏差、または確率分布のいずれかをラジオボタンによって選択することができる。
【０２０７】
両側標準偏差を選択した場合、代表値として、条件-ＫＰＩ関係モデルにおける平均値、最頻値、または中央値を選択する。また倍率λとして、ばらつき範囲を決める標準偏差の倍率を入力する。
【０２０８】
上下標準偏差を選択した場合、代表値として、条件-ＫＰＩ関係モデルにおける平均値、最頻値、または中央値を選択する。また倍率λとして、ばらつき範囲を決める標準偏差の上側と下側の倍率を入力する。
【０２０９】
確率分布を選択した場合、代表値、上側値、下側値となる累積での確率値を設定する。
【０２１０】
グラフ表示欄１７０４では、表示対象として、代表/ばらつき、または評価ＫＰＩをラジオボタンによって選択できる。プロットのチェックボックスがチェックされることに応じて、ＫＰＩの散布図が描かれる。グラフ表示欄１７０４の横軸は定期メンテナンスの間隔（単位：日）、縦軸はコスト（単位：Ｍ￥（百万円））である。
【０２１１】
分布確認欄１７０５では、グラフ表示欄１７０４に表示されたグラフを拡大表示する条件（同図の場合、日）の範囲を設定できる。ユーザが該範囲を設定して表示ボタン１７０６を押下すると、ＫＰＩ確率分布画面１７２１（図１７）が表示される。同図の場合、条件の範囲として３０〜５０日のＫＰＩに分布を表すＫＰＩ確率分布画面１７２１（図１７）が表示される。
【０２１２】
操作欄１７０７には、最適探索ボタン１７０８、結果印刷ボタン１７０９、及び完了ボタン１７１０が設けられている。ユーザが最適探索ボタン１７０８を押下すると、最適条件画面１７３１（図１８）が表示される。ユーザが結果印刷ボタン１７０９を押下すると、ＫＰＩを最良とする保守方式の条件が紙面に印刷される。ユーザが完了ボタン１７１０を押下すると、該評価ＫＰＩ設定画面１７０１は閉じられる。
【０２１３】
図１７は、表示ボタン１７０６（図１６）の押下に応じて表示されるＫＰＩ確率分布画面１７２１の表示例を示している。
【０２１４】
ＫＰＩ確率分布画面１７２１では、累積確率分布またはヒストグラムを選択するラジオボタンとＯＫボタン１７２３が設けられている。ユーザが選択欄１７２２にて、累積確率分布またはヒストグラムを選択すると、分布確認欄１７０５（図１６）で指定された条件の範囲におけるＫＰＩの分布の表示方法を累積確率分布またはヒストグラムに切り替わる。ユーザがＯＫボタン１７２３を押下すると、該ＫＰＩ確率分布画面１７２１が閉じられる。
【０２１５】
図１８は、最適探索ボタン１７０８（図１６）の押下に応じて表示される最適条件画面１７３１の表示例を示している。
【０２１６】
最適条件画面１７３１には、評価ＫＰＩ選択欄１７０３（図１６）における選択（両側標準偏差、上下標準偏差、または確率分布）と、最適条件（同図の場合、定期メンテナンス間隔として７０日）と、ＫＰＩ代表値（同図の場合、最良のコストとしての８．９２（Ｍ￥（百万円））が表示される。ユーザが最適条件画面１７３１に設けられたＯＫボタン１７３２を押下すると、該最適条件画面１７３１は閉じられる。
【０２１７】
なお、最適条件画面１７３１には、最適条件としては、定期メンテナンス間隔の他、保守作業員情報（人数）、Ｏ＆Ｍ資産保有情報（設備の台数）、及び故障確率のうちの少なくとも１つを表示するようにしてもよい。
【０２１８】
＜ＫＰＩのばらつき範囲に標準偏差を用いて評価ＫＰＩモデルを定義する場合における最適条件探索の方法＞
上述した説明では、ＫＰＩのばらつき範囲にＫＰＩの上側値と下側値の差を用いて評価ＫＰＩモデルを定義した。ＫＰＩのばらつき範囲に標準偏差を用いて評価ＫＰＩモデルを定義できる。
【０２１９】
次に、ＫＰＩの代表値に平均値または回帰統計量を採用し、ＫＰＩのばらつき範囲に標準偏差を用いて評価ＫＰＩモデルを定義した場合における最適条件探索の方法を説明する。
【０２２０】
ＫＰＩの代表値ＫＰＩrepresentativeに平均値を採用する場合、次式（２４）に示されるように同一条件下のＫＰＩの平均を取ればよい。条件の同一性であるが、条件が連続的な範囲に分布している場合、ある条件値の近傍を取って、条件を定めればよい。また、条件は、整数のような離散値でもよい。さらに、条件は、値でなく分類項目であってもよい。最良のＫＰＩを探索するためには、定義域は連続変数でなくてもよい。
【０２２１】
【数２４】
2019133412.tif 000026
なお、式（２４）における＃は要素の数を求める演算であり、＃ｉＫＰＩｉ(ｘ)は、条件ｘのＫＰＩのデータの件数を求めることを意味する。
【０２２２】
一方、ＫＰＩの代表値ＫＰＩrepresentativeに回帰統計量を採用する場合、当てはめ(fitting, 数理モデルのパラメータを求めること)のための数理モデルを定義する。この場合、ＫＰＩの最小値または最大値を得たいので、２次以上の多項式が該当するが、ランダムフォレスト回帰モデルやサポートベクタ回帰モデルのような、離散的な複数のデータから合成される式であってもよく、パラメトリック、ノンパラメトリックは問わない。１つの条件に対して１つのＫＰＩが得られる数理モデルであればよい。以下、該数理モデルをｆＫＰＩ(ｘ)と称する。また、この場合、代表値ＫＰＩrepresentativeは、数理モデルｆＫＰＩ(ｘ)による推定値なので、次式（２５）に示されるように、推定を意味するestimatedを右上添え字として付けることにする。
【０２２３】
【数２５】
2019133412.tif 000027
【０２２４】
図１９は、平均値または回帰統計量を採用した代表値ＫＰＩrepresentativeと、標準偏差と、評価ＫＰＩモデルの関係を示している。
【０２２５】
上述したように、代表値ＫＰＩrepresentativeを表す代表値曲線１８０１は、式（２４）または式（２５）から得ることができる。平均値を採用した場合、代表値曲線１８０１は、各条件におけるＫＰＩの平均値を直線で結べばよい。ばらつきは、代表値曲線１８０１に対して、上側ばらつきと、下側ばらつきがある。上側ばらつきと下側ばらつきを特に区別する必要が無い場合、条件に対する標準偏差σ(x)を、次式（２６）に従って求めればよい。
【０２２６】
【数２６】
2019133412.tif 000028
【０２２７】
上側ばらつきと下側ばらつきを区別して求める場合には、次式（２７）〜（３０）に示されるように、ＫＰＩのデータを分けてそれぞれの標準偏差を算出する。
【０２２８】
【数２７】
2019133412.tif 000029
【０２２９】
【数２８】
2019133412.tif 000030
【０２３０】
【数２９】
2019133412.tif 000031
【０２３１】
【数３０】
2019133412.tif 000032
【０２３２】
なお、式（２９），（３０）における添え字ｕｐｐｅｒ／ｌｏｗｅｒに含まれる”／”は、”／”の前後で変数間の同順を意味する。また、式（２７），（２８）における不等号は、等号を含んでいてもよい。
【０２３３】
図１９において、上側１σがσｕｐｐｅｒ／ｌｏｗｅｒを表し、下側１σが−σｕｐｐｅｒ／ｌｏｗｅｒを表す。
【０２３４】
ばらつき範囲ｒａｎｇｅは、標準偏差に倍率λを乗算したものとし、上側ばらつきと下側ばらつきを区別しない場合、次式（３１）に示すとおりであり、上側ばらつきと下側ばらつきを区別する場合、次式（３３）に示すとおりである。
【０２３５】
【数３１】
2019133412.tif 000033
【０２３６】
【数３２】
2019133412.tif 000034
【０２３７】
そして、評価ＫＰＩモデルを表す式（２２）に、式（２５）に示された代表値と、式（３１）または式（３２）に示されたばらつき範囲ｒａｎｇｅを代入すれば、図１９に破線で示す評価ＫＰＩモデル１８０６を得ることができる。
【０２３８】
評価ＫＰＩモデル１８０６に基づく最適条件ＣＢＥＳＴは、次式（３３）に示すように表現される。
【０２３９】
【数３３】
2019133412.tif 000035
【０２４０】
以上、ＫＰＩのばらつき範囲に標準偏差を用いて評価ＫＰＩモデルを定義する場合における最適条件探索方法の説明を終了する。
【０２４１】
＜代表値、上側値、下側値を特定の確率値に対するＫＰＩとして、評価ＫＰＩモデルを定義した場合における最適条件探索の方法＞
次に、代表値、上側値、下側値を特定の確率値に対するＫＰＩとして、評価ＫＰＩモデルを定義した場合における最適条件探索の方法を説明する。
【０２４２】
まず、特定の確率値に対するＫＰＩの代表値、上側値、下側値の意味について、図２０を参照して説明する。
【０２４３】
同図（Ａ）は、条件に対するＫＰＩの分布を示すグラフである。該グラフが示すように、条件に対してＫＰＩは変化して、またある条件においてＫＰＩはばらつきを持っている。ばらつきはＫＰＩのデータの発生の分布を表しており、分布２００１は、ある条件に対するＫＰＩのばらつきを示している。
【０２４４】
同図（Ｂ）は、同図（Ａ）における分布２００１に対応する頻度分布（ヒストグラム）２０１１を示している。頻度分布２０１１は、ＫＰＩが大きくなる方向に裾が広くなる分布であり、頻度分布２０１１において最頻値はＫＰＩが小さい方向に寄り、平均値は裾の影響を受けてＫＰＩが大きい方向に寄ることによる。
【０２４５】
よって、多くの場合に発生するＫＰＩを知りたい場合には最頻値を評価すればよい。また、また期待されるＫＰＩを知りたい場合には平均値を評価すればよい。
【０２４６】
式（２２）に示された評価ＫＰＩモデルには、分布の上側と下側の範囲と、その上下を分ける基準となる、代表的な値を定めることが重要である。標準偏差についても、分布が正規分布では無い場合、標準偏差と発生する確率との関係は分布自体の数理モデルを定めなければならない。
【０２４７】
そこで確率値により代表値、上側値、下側値を直接設定すれば、発生する確率と範囲との関係が明らかとなる。代表値としては、累積での発生確率が０．５となる中央値を候補とすることができる。
【０２４８】
同図（Ｃ）は、ＫＰＩの累積の確率分布を示すグラフである。横軸がＫＰＩ、縦軸が確率p.(probability)である。該グラフにおいて、確率が０．５となるプロット２０２２の横軸の値がＫＰＩの中央値となる。また、下側値を決める確率を０．２とすれば、プロット２０２３の横軸の値がＫＰＩの下側値となる。さらに、上側の確率を０．８とすれば、プロット２０２４の横軸の値がＫＰＩの上側値となる。
【０２４９】
ＫＰＩは、Ｏ＆Ｍサービスを実施する際の管理基準とも解釈でき、管理基準を品質管理に倣い正規分布の±２σとして扱うようにすれば、上側の確率は０．９７７２５、下側の確率は０．０２２７５となる。また、管理基準を正規分布の±３σとして扱うようにすれば、上側の確率は０．９９８６５、下側の確率は０．００１３５となる。なお、分かり易い値を設定してもよく、例えば上側の確率としては、０．９，０．９５，０．９９等とすればよい。
【０２５０】
次に、各条件における確率値に対するＫＰＩの分布について、図２１を参照して説明する。
【０２５１】
同図（Ａ）は、各条件における確率値に対するＫＰＩの分布を示すグラフであり、横軸は条件、縦軸はＫＰＩである。各条件は、縦線２１２１、２１２２等として示しており、該縦線上にＫＰＩの代表値ＫＰＩｂａｓｅ、上側値ＫＰＩｕｐｐｅｒ、及び下側値ＫＰＩｌｏｗｅｒをプロットしている。
【０２５２】
同図（Ｂ）は、同図（Ａ）にグラフに縦線によって条件２１２１における代表値、上限値、及び下限値の関係を累積の確率分布として示している。なお、同図（Ｂ）の横軸は、左方向に大きくなる確率p.であり、縦軸はＫＰＩである。
【０２５３】
同図（Ｂ）に示すように、下限値、代表値、上限値の確率を０．２，０．５，０．８とすれば、プロット２１０４〜２１０６が得られ、これにより下側値ＫＰＩｌｏｗｅｒ、代表値ＫＰＩｂａｓｅ、及び上側値ＫＰＩｕｐｐｅｒを得ることができる。他の条件についても同様に、下側値ＫＰＩｌｏｗｅｒ、代表値ＫＰＩｂａｓｅ、及び上側値ＫＰＩｕｐｐｅｒを得ることができる。
【０２５４】
そして、各条件における代表値ＫＰＩｂａｓｅを線分で結べば代表値ＫＰＩｂａｓｅのグラフを得ることができる。同様に、下側値ＫＰＩｌｏｗｅｒのグラフ、及び上側値ＫＰＩｕｐｐｅｒのグラフも得ることができる。このようにして得られた代表値と、ばらつき範囲は、次式（３４），（３５）に示すとおりとなる。
【０２５５】
【数３４】
2019133412.tif 000036
【０２５６】
【数３５】
2019133412.tif 000037
【０２５７】
確率値とＫＰＩの関係は、次式（３６），（３７）に示されるように、分布関数ＦＫＰＩ(ＫＰＩ｜ｘ)により定まり、分布関数の逆関数により確率ｐとなるＫＰＩｐを求めることができる。
【０２５８】
【数３６】
2019133412.tif 000038
【０２５９】
【数３７】
2019133412.tif 000039
【０２６０】
なお、ＫＰＩのデータを用いる場合、ＫＰＩのデータを昇順にソートし、昇順の番号をデータ数で割って確率値として、該当する確率値のＫＰＩを求めればよい。代表値、下側値、及び上側値の確率を、ｐｂａｓｅ，ｐｌｏｗｅｒ，ｐｕｐｐｅｒとすれば、それぞれのＫＰＩは次式（３８）〜（４０）に示される以下のように表すことができる。
【０２６１】
【数３８】
2019133412.tif 000040
【０２６２】
【数３９】
2019133412.tif 000041
【０２６３】
【数４０】
2019133412.tif 000042
【０２６４】
図２１（Ｂ）に示された例の場合、ＫＰＩｂａｓｅ(ｘ)＝ＫＰＩ０．５(ｘ)、ＫＰＩｌｏｗｅｒ(ｘ)＝ＫＰＩ０．２(ｘ)、ＫＰＩｕｐｐｅｒ(ｘ)＝ＫＰＩ０．８(ｘ)となる。
【０２６５】
以上で、代表値、上側値、下側値を特定の確率値に対するＫＰＩとして、評価ＫＰＩモデルを定義した場合における最適条件探索方法の説明を終了する。
【０２６６】
＜まとめ＞
最後に、本発明に係る一実施の形態である保守計画装置１による、Ｏ＆Ｍ資産の運用において各種保守方式を適用した際におけるＫＰＩを最良とする保守方式の条件を求める処理のまとめを、図２２を参照して説明する。
【０２６７】
Ｏ＆Ｍサービスシミュレータ(事業体,Ｏ＆Ｍ資産)２１０に対しては、Ｏ＆Ｍサービスビジネスに関連した各種の事業体と稼動するＯ＆Ｍ資産がエージェントとして設定される。
【０２６８】
事業体はＯ＆Ｍ資産を運用して収益を上げる顧客会社、Ｏ＆Ｍ資産の保守を行う保守事業体、Ｏ＆Ｍ資産をモニタして異常検知、診断を行う診断サービス会社、保守パーツを供給するパーツ事業体である。Ｏ＆Ｍ資産としては、建物に設置される設備や、運送などを行うトラック等の移動体であってもよい。
【０２６９】
事業体、Ｏ＆Ｍ資産の構成は様々に設定可能であり、また定期メンテナンスの間隔や保守作業員の人数といったＯ＆Ｍサービスに関する条件も様々に設定可能である。保守方式も定期メンテナンス、修理(事後メンテナンス)、状態監視メンテナンス、予知メンテナンスと様々に設定し、並列的な方式の採用も可能である。
【０２７０】
Ｏ＆Ｍ資産の不具合や故障は、必ずしも決まった時に発生するわけではなく、偶発的である。つまり確率的に不具合、故障が発生する。そのためにＯ＆Ｍサービスシミュレータ２１０では、故障率を用いて乱数により不具合、故障発生を判定する。故障率は、Ｏ＆Ｍ資産とその系統の構造によって異なるため、様々な故障率の稼動時間に対する変化を表現可能な区分線形故障率モデルで故障率を定義する。故障率とは、単位時間当たりの故障確率である。
【０２７１】
人やデータから設定するためには、稼働時間に対する故障確率、すなわち全資産に対して故障した資産の割合で管理した方が、故障率よりも分り易い。区分線形故障率モデルは故障確率から求められる。そこで、シミュレーションの条件の１つであるＯ＆Ｍ資産の故障率は、ユーザから設定された故障確率に基づいて算出するようにする。すなわち、Ｏ＆Ｍシミュレータにおける不具合、故障の発生の条件は、Ｏ＆Ｍ資産(系統)への故障確率の設定２３０２による。
【０２７２】
資産の保守を計画する際には、様々な条件を比較して事業収益やコストといったＫＰＩが最も良くなる条件を見つけたい。そこで各条件でシミュレーションを行って結果を比較する。同一条件であっても不具合、故障発生は確率的であるので、同一条件で多数回シミュレーションする。各条件、多数回のシミュレーション結果２３０３からＫＰＩ最良となる条件を見つけ出す。この処理が最適条件探索である。
【０２７３】
次に、各条件、多数回のシミュレーション結果２３０３から、機械学習を用いて、条件とＫＰＩの関係を表すモデル２３０４を生成する。該モデルを表すグラフには、条件を保守条件の定期メンテナンス間隔、KPIを保守コストとし、条件を横軸、KPIを縦軸として結果をプロットする。ＫＰＩの関係モデルにより代表値とばらつき範囲を求める。代表値は目安となる値であり、コストの場合、小さいほど良い。ばらつきは損失発生のリスクであり、ばらつきが大きいと大きな損失が発生し得る。
【０２７４】
次に、代表値とばらつき範囲による評価ＫＰＩ２３０５を定義する。評価ＫＰＩは、代表値とばらつき範囲を合わせて１つの指標としたものである。ＫＰＩがコストである場合、代表値が小さいほど、またばらつき範囲も小さいほど良いので、最小となる評価ＫＰＩが最良である。このときの保守条件を探索すれば、最適条件が得られることになる。
【０２７５】
以上が、保守計画装置１による、Ｏ＆Ｍ資産の運用において各種保守方式を適用した際の、ＫＰＩを最良とする保守方式の条件を求める処理のまとめである。
【０２７６】
＜保守計画装置１をソフトウェアによって実現するための構成＞
ところで、上述した保守計画装置１については、ハードウェアにより構成することもできるし、ソフトウェアにより実現することもできる。保守計画装置１をソフトウェアにより実現する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータ等が含まれる。
【０２７７】
図２３は、保守計画装置１をプログラムにより実現するコンピュータのハードウェアの構成例を示すブロック図である。
【０２７８】
このコンピュータ３０００において、ＣＰＵ（Central Processing Unit）３００１，ＲＯＭ（Read Only Memory）３００２，ＲＡＭ（Random Access Memory）３００３は、バス３００４により相互に接続されている。
【０２７９】
バス３００４には、さらに、入出力インターフェース３００５が接続されている。入出力インターフェース３００５には、入力部３００６、出力部３００７、記憶部３００８、通信部３００９、およびドライブ３０１０が接続されている。
【０２８０】
入力部３００６は、キーボード、マウス、マイクロフォン等より成る。出力部３００７は、ディスプレイ、スピーカ等より成る。記憶部３００８は、ハードディスクや不揮発性のメモリ等より成る。通信部３００９は、ネットワークインターフェース等より成る。ドライブ３０１０は、磁気ディスク、光ディスク、光磁気ディスク、又は半導体メモリ等のリムーバブルメディア３０１１を駆動する。
【０２８１】
以上のように構成されるコンピュータ３０００では、CPU３００１が、例えば、記憶部３００８に記憶されているプログラムを、入出力インターフェース３００５およびバス３００４を介して、RAM３００３にロードして実行することにより、図１に示された保守計画装置１の構成要素である制御部１０、シミュレーション実行部２０、解析部３０、及び表示制御部４０が実現される。
【０２８２】
コンピュータ３０００（ＣＰＵ３００１）が実行するプログラムは、例えば、パッケージメディア等としてのリムーバブルメディア３０１１に記録して提供することができる。また、プログラムは、ローカルエリアネットワーク、インターネット、デジタル衛星放送といった、有線または無線の伝送媒体を介して提供することができる。
【０２８３】
コンピュータ３０００では、プログラムは、リムーバブルメディア３０１１をドライブ３０１０に装着することにより、入出力インターフェース３００５を介して、記憶部３００８にインストールすることができる。また、プログラムは、有線または無線の伝送媒体を介して、通信部３００９で受信し、記憶部３００８にインストールすることができる。その他、プログラムは、ROM３００２や記憶部３００８に、あらかじめインストールしておくことができる。
【０２８４】
なお、コンピュータ３０００が実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【０２８５】
本明細書に記載された効果はあくまで例示であって限定されるものではなく、他の効果があってもよい。
【０２８６】
本発明は、上記した実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【０２８７】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現されてもよい。各機能を実現するプログラム、テーブル、ファイル等の情報は、メモリや、ハードディスク、ＳＳＤ(Solid State Drive)等の記憶装置、または、ＩＣカード、ＳＤカード、ＤＶＤ等の記録媒体に置くことができる。また、制御線や情報線は説明上必要と考えられるものを示しており、製品上必ずしも全ての制御線や情報線を示しているとは限らない。実際には殆ど全ての構成が相互に接続されていると考えてもよい。
【０２８８】
本発明は、保守計画装置、及び保守計画方法だけでなく、複数の装置から構成されるシステムや、コンピュータ読み取り可能なプログラム等の様々な態様で提供することができる。
【符号の説明】
【０２８９】
１・・・保守計画装置、１０・・・制御部、１１・・・条件データ、２０・・・シミュレーション実行部、３０・・・解析部、３１・・・最適条件データ、３２・・・グラフデータ、３３・・・アニメーションデータ、４０・・・表示制御部、４１・・・グラフ描画部、４２・・・アニメーション描画部、１０１・・・処理実行部、１０２・・・条件設定部、１０３・・・ＫＰＩ計算部、１０４・・・故障率算出部、２１０・・・サービスシミュレータ、２１１・・・条件取得処理部、２１２・・・資産劣化・信号発生・故障率・故障処理部、２１３・・・異常検知・診断処理部、２１４・・・顧客タスク日程計画処理部、２１５・・・顧客タスク実施処理部、２１６・・・修理タスク日程計画処理部、２１７・・・修理タスク実施処理部、２１８・・・パーツ供給・在庫管理処理部、２２０・・・記憶部、３０２・・・建物、３０３・・・設備、３０４・・・保守サービス会社、３０５・・・保守作業員、３０６・・・診断サービス会社、３０７・・・倉庫、３０８・・・メーカ工場、３１６・・・診断レポート、１３０１・・・故障確率設定画面、１３０２・・・表設定欄、１３０３・・・追加ボタン１３０４・・・削除ボタン、１３０５・・・チェックボックス、１３０６・・・操作欄、１３０７・・・設定確認ボタン、１３０８・・・キャンセルボタン、１３０９・・・ＯＫボタン、１３１１・・・故障確率設定画面、１３１２・・・描画設定欄、１３１３・・・目盛調整欄、１３１４・・・操作欄、１３１５・・・設定確認ボタン、１３１６・・・キャンセルボタン、１３１７・・・ＯＫボタン、１４５２・・・条件−ＫＰＩ関係モデル、１７０１・・・評価ＫＰＩ設定画面、１７０２・・・・条件表示欄、１７０３・・・選択欄、１７０４・・・グラフ表示欄、１７０５・・・分布確認欄、１７０６・・・表示ボタン、１７０７・・・操作欄、１７０８・・・最適探索ボタン、１７０９・・・結果印刷ボタン、１７１０・・・完了ボタン、１７２１・・・ＫＰＩ確率分布画面、１７２２・・・選択欄、１７２３・・・ＯＫボタン、１７３１・・・最適条件画面、１７３２・・・ＯＫボタン、３０００・・・コンピュータ、３００１・・・ＣＰＵ、３００２・・・ＲＯＭ、３００３・・・ＲＡＭ、３００４・・・バス、３００５・・・入出力インターフェース、３００６・・・入力部、３００７・・・出力部、３００８・・・記憶部、３００９・・・通信部、３０１０・・・ドライブ、３０１１・・・リムーバブルメディア
【図１】
2019133412.tif 000043
【図２】
2019133412.tif 000044
【図３】
2019133412.tif 000045
【図４】
2019133412.tif 000046
【図５】
2019133412.tif 000047
【図６】
2019133412.tif 000048
【図７】
2019133412.tif 000049
【図８】
2019133412.tif 000050
【図９】
2019133412.tif 000051
【図１０】
2019133412.tif 000052
【図１１】
2019133412.tif 000053
【図１２】
2019133412.tif 000054
【図１３】
2019133412.tif 000055
【図１４】
2019133412.tif 000056
【図１５】
2019133412.tif 000057
【図１６】
2019133412.tif 000058
【図１７】
2019133412.tif 000059
【図１８】
2019133412.tif 000060
【図１９】
2019133412.tif 000061
【図２０】
2019133412.tif 000062
【図２１】
2019133412.tif 000063
【図２２】
2019133412.tif 000064
【図２３】
2019133412.tif 000065